(57)【特許請求の範囲】
【請求項１】
住宅に近接して路面下に設置され、内部を２次熱媒体が循環する融雪パイプを有する融雪部と、
この融雪部の前記融雪パイプへ前記２次熱媒体を循環させるポンプと、前記２次熱媒体と圧縮機で圧縮した冷凍サイクルの高温高圧な冷媒とが熱交換を行う融雪負荷側熱交換器と、冷凍サイクルの副絞り装置とを有する融雪用熱交換ユニットと、
空調負荷側熱交換器を有し、居住空間の空調を行う空調用室内ユニットと、
前記圧縮機と、外気と熱交換する熱源側熱交換器と、前記冷媒を低圧低温にする絞り装置と、室外機制御部とを有する室外ユニットと、  
当該ヒートポンプ式融雪空調装置の使用者が前記融雪用熱交換ユニットの融雪運転を指令する融雪用リモコンと、を備え、
前記圧縮機と、前記融雪負荷側熱交換器と、前記副絞り装置と、前記空調負荷側熱交換器と、前記絞り装置と、前記熱源側熱交換器とを順に接続して前記冷媒が循環する冷凍サイクルを構成し、
前記使用者が前記融雪用リモコンにより融雪運転を指令した場合、前記室外機制御部が、前記融雪負荷側熱交換器にて前記２次熱媒体が加熱され、前記ポンプにより加熱された前記２次熱媒体が前記融雪パイプを循環する前記融雪用熱交換ユニットによる前記路面の融雪運転を開始することを特徴とするヒートポンプ式融雪空調装置。
【請求項２】
住宅に近接して路面下に設置され、内部を２次熱媒体が循環する融雪パイプを有する融雪部と、
この融雪部の前記融雪パイプへ前記２次熱媒体を循環させるポンプと、前記２次熱媒体と圧縮機で圧縮した冷凍サイクルの高温高圧な冷媒とが熱交換を行う融雪負荷側熱交換器と、冷凍サイクルの副絞り装置とを有する融雪用熱交換ユニットと、
空調負荷側熱交換器を有し、居住空間の空調を行う空調用室内ユニットと、
前記圧縮機と、外気と熱交換する熱源側熱交換器と、前記冷媒を低圧低温にする絞り装置と、室外機制御部とを有する室外ユニットと、
水分と雪温とにより降雪を検出する降雪センサと、を備え、
前記圧縮機と、前記融雪負荷側熱交換器と、前記副絞り装置と、前記空調負荷側熱交換器と、前記絞り装置と、前記熱源側熱交換器とを順に接続して前記冷媒が循環する冷凍サイクルを構成し、
前記降雪センサが降雪を検出した場合、前記室外機制御部が、前記融雪負荷側熱交換器にて前記２次熱媒体が加熱され、前記ポンプにより加熱された前記２次熱媒体が前記融雪パイプを循環する前記融雪用熱交換ユニットによる前記路面の融雪運転を開始することを特徴とするヒートポンプ式融雪空調装置。
【請求項３】
前記空調用室内ユニットに指令を行う空調用リモコンを備え、前記融雪運転時に前記使用者が前記空調用リモコンにより暖房運転を指令した場合、前記室外機制御部は、前記融雪運転を優先させる制御を行うことを特徴とする請求項１または２記載のヒートポンプ式融雪空調装置。
【請求項４】
前記空調用室内ユニットは送風機を有し、前記室外機制御部が前記融雪運転を優先させる制御を行う場合、前記室外機制御部は冷凍サイクルの前記副絞り装置の開度を、前記空調負荷側熱交換器の冷媒の温度と室温との温度差がないように設定し、且つ前記空調用室内ユニットの送風機を停止することを特徴とする請求項３記載のヒートポンプ式融雪空調装置。
【請求項５】
前記融雪用熱交換ユニットの２次熱媒体流出口と、前記融雪部の２次熱媒体流入口とを接続する２次熱媒体配管を有し、この２次熱媒体配管に前記２次熱媒体を加熱する補助ヒーターを設けたことを特徴とする請求項１または２記載のヒートポンプ式融雪空調装置。
【請求項６】
前記融雪用熱交換ユニットは、前記２次熱媒体の温度を検出する２次熱媒体温度検出手段を有し、前記室外機制御部は、前記２次熱媒体温度検出手段が検出する２次熱媒体の温度により前記補助ヒーターの入切を制御することを特徴とする請求項５記載のヒートポンプ式融雪空調装置。
【請求項７】
前記室外機制御部は、前記融雪運転開始時に、所定時間前記補助ヒーターを動作させることを特徴とする請求項５記載のヒートポンプ式融雪空調装置。
【請求項８】
住宅に近接して路面下に設置され、内部を２次熱媒体が循環する融雪パイプを有する融雪部と、
この融雪部の前記融雪パイプへ前記２次熱媒体を循環させるポンプと、前記２次熱媒体と圧縮機で圧縮した冷凍サイクルの高温高圧な冷媒とが熱交換を行う融雪負荷側熱交換器とを有する融雪用熱交換ユニットと、
空調負荷側熱交換器を有し、居住空間の空調を行う空調用室内ユニットと、
前記圧縮機と、外気と熱交換する熱源側熱交換器と、前記冷媒を低圧低温にする絞り装置とを有する室外ユニットと、を備え、
前記圧縮機と、前記融雪負荷側熱交換器と、前記空調負荷側熱交換器と、前記絞り装置と、前記熱源側熱交換器とを順に接続して前記冷媒が循環する冷凍サイクルを構成し、
前記空調用室内ユニットによる居住空間の空調の他に、前記融雪負荷側熱交換器にて前記２次熱媒体が加熱され、前記ポンプにより加熱された前記２次熱媒体が前記融雪パイプを循環する前記融雪用熱交換ユニットによる前記の融雪運転が可能であることを特徴とするヒートポンプ式融雪空調装置。
【請求項９】
住宅に近接して路面下に設置され、内部を２次熱媒体が循環する融雪パイプを有する融雪部と、
この融雪部の前記融雪パイプへ前記２次熱媒体を循環させるポンプと、前記２次熱媒体と圧縮機で圧縮した冷凍サイクルの高温高圧な冷媒とが熱交換を行う融雪負荷側熱交換器とを有する融雪用熱交換ユニットと、
空調負荷側熱交換器を有し、居住空間の空調を行う空調用室内ユニットと、
前記圧縮機と、外気と熱交換する熱源側熱交換器と、前記空調負荷側熱交換器に接続される絞り装置Ａと、前記融雪負荷側熱交換器に接続される絞り装置Ｂとを有する室外ユニットと、を備え、
前記圧縮機と、前記空調負荷側熱交換器と、前記絞り装置Ａと、前記熱源側熱交換器とを順に接続するとともに、前記空調負荷側熱交換器と前記絞り装置Ａとが接続される回路に、前記融雪負荷側熱交換器と前記熱源側熱交換器の間に前記絞り装置Ｂが配置するよう前記融雪負荷側熱交換器と前記絞り装置Ｂとが接続される回路を並列に接続して前記冷媒が循環する冷凍サイクルを構成し、
前記空調用室内ユニットによる居住空間の暖房運転と、前記融雪用熱交換ユニットによる前記路面の融雪運転と同時に行えることを特徴とするヒートポンプ式融雪空調装置。
【発明の詳細な説明】
【技術分野】
【０００１】
この発明は、通常の空調装置の他に、冷凍サイクルを用いたヒートポンプにより昇温した温水による融雪装置を兼ね備えたヒートポンプ式融雪空調装置に関するものである。
【背景技術】
【０００２】
従来のヒートポンプ式融雪装置は、自治体等が設備する道路等の融雪のみを目的とした大規模なものであり、家庭用として玄関前や駐車スペース及びこれらへのアプローチ部分の融雪用としては普及が進まなかった。
【０００３】
また、従来の空気調和機は、住宅内の居住空間を対象として冷房、暖房及び床暖房するものである（例えば、特許文献１参照）。
【０００４】
また、冷却貯蔵庫が設置された店舗において、駐車場などの融雪を効果的に行うことができる融雪装置として、店舗の低温ショーケースを冷却する冷凍機の圧縮機の出口側の配管に第１三方弁を設ける。第１三方弁の他方の出口側の配管を熱交換器内に引き込む。熱交換器内に融雪水を流通させ、圧縮機からの高温冷媒と熱交換させた後、散水ノズルより駐車場に散水する融雪装置が知られている（例えば、特許文献２参照）。
【特許文献１】特開２０００−４６４１７号公報
【特許文献２】特開平１０−１１１０４２号公報
【発明の開示】
【発明が解決しようとする課題】
【０００５】
冬季に積雪の多い地方では、夏季の冷房需要があまり大きくない上、暖房用としては、燃焼系の暖房装置が一般的で、ヒートポンプ式暖房は普及していない。
【０００６】
一方、京都議定書で日本が負っている二酸化炭素排出量の１９９０年比６％削減の一助として、暖房用にヒートポンプ式暖房を普及させることは有効である。
【０００７】
また、店舗の低温ショーケースの冷凍サイクルを融雪に利用する融雪装置は、家庭用として玄関前や駐車スペース及びこれらへのアプローチ部分の融雪用には使用できない。
【０００８】
この発明は、上記のような課題を解決するためになされたもので、通常の空調装置の他に、冷凍サイクルを用いたヒートポンプによる融雪装置を兼ね備えたヒートポンプ式融雪空調装置を提供することを目的とする。
【０００９】
また、融雪運転中に室内機から暖房または冷房等の指令が来ても、融雪運転を優先させ、確実に雪を融かすヒートポンプ式融雪空調装置を提供することを目的とする。
【課題を解決するための手段】
【００１０】
この発明に係るヒートポンプ式融雪空調装置は、住宅に近接して路面下に設置され、内部を２次熱媒体が循環する融雪パイプを有する融雪部と、この融雪部の融雪パイプへ２次熱媒体を循環させるポンプと、２次熱媒体と圧縮機で圧縮した冷凍サイクルの高温高圧な冷媒とが熱交換を行う融雪負荷側熱交換器と、冷凍サイクルの副絞り装置とを有する融雪用熱交換ユニットと、空調負荷側熱交換器を有し、居住空間の空調を行う空調用室内ユニットと、圧縮機と、外気と熱交換する熱源側熱交換器と、冷媒を低圧低温にする絞り装置と、室外機制御部とを有する室外ユニットと、ヒートポンプ式融雪空調装置の使用者が融雪用熱交換ユニットの融雪運転を指令する融雪用リモコンと、を備え、圧縮機と、融雪負荷側熱交換器と、副絞り装置と、空調負荷側熱交換器と、絞り装置と、熱源側熱交換器とを順に接続して前記冷媒が循環する冷凍サイクルを構成し、使用者が融雪用リモコンにより融雪運転を指令した場合、室外機制御部が、融雪負荷側熱交換器にて２次熱媒体が加熱され、ポンプにより加熱された２次熱媒体が融雪パイプを循環する融雪用熱交換ユニットによる路面の融雪運転を開始することを特徴とする。
【発明の効果】
【００１１】
この発明に係るヒートポンプ式融雪空調装置は、上記構成により、通常の空調装置の他に、住宅に近接して路面下に設置される、冷凍サイクルを用いたヒートポンプによる融雪装置を兼ね備えたヒートポンプ式融雪空調装置を提供することができる。
【発明を実施するための最良の形態】
【００１２】
実施の形態１．
図１乃至１０は実施の形態１を示す図で、図１はヒートポンプ式融雪空調装置２０の全体構成図、図２はヒートポンプ式融雪空調装置２０の詳細な構成図、図３はヒートポンプ式融雪空調装置２０の変形例を示す部分構成図、図４は玄関前への融雪パイプの敷設例を示す図、図５は降雪センサ１４を示す図、図６はヒートポンプ式融雪空調装置２０の冷媒回路及び２次側熱媒体回路のブロック図、図７はヒートポンプ式融雪空調装置２０に用いる二重管式の融雪用熱交換器４の構成を示す図、図８は融雪用熱交換器４における冷媒とブラインの熱交換による冷媒とブラインの温度変化を示す図、図９は融雪用熱交換器４の変形例を示す図、図１０は融雪運転時のモリエル線図、図１１はヒートポンプ式融雪空調装置２０の制御系の接続関係を示す図である。
【００１３】
図１において、ヒートポンプ式融雪空調装置２０は、熱源機である室外機１５（室外ユニット）と、この室外機１５に一体に組合される温水ユニット１６（融雪用熱交換ユニット）と、この温水ユニット１６に収納される融雪用熱交換器（図示せず）に配管で接続される融雪パイプ７ａを有する融雪部７と、降雪センサ１４とを有し、これらの、室外機１５と、温水ユニット１６と、融雪部７と、降雪センサ１４とが室外に設置される。
【００１４】
一方、ヒートポンプ式融雪空調装置２０は、居住空間１０に、室外機１５に冷媒配管で接続される、居住空間１０の空調用の室内機１１（空調用室内ユニット）と、ユーザが使用する空調用リモコン１２と、室内機１１に設けられる、空調用リモコン１２から発せられる赤外線信号を受ける赤外線受光部１１ａ、室外の降雪センサ１４及び温水ユニット１６と信号線で接続された融雪用リモコン１３とを備える。
【００１５】
ヒートポンプ式融雪空調装置２０のさらに詳細な構成を図２により説明する。ヒートポンプ式融雪空調装置２０は、室外機１５の冷媒流出口３２を温水ユニット１６の冷媒流入口５１に冷媒配管３３を介して接続し、温水ユニット１６の副絞り装置１８に接続した冷媒流出口５２を室内機１１に冷媒配管３４を介して接続し、室外機１５の冷媒流入口３１を室内機１１に冷媒配管３５を介して接続することにより冷媒回路が構成される。
【００１６】
また、温水ユニット１６のブライン流出口５４を融雪部７のブライン流入口７１にブライン配管（往き）７４を介して接続し、温水ユニット１６のブライン流入口５３を融雪部７のブライン流出口７２にブライン配管（戻り）７３を介して接続することによってブライン回路が構成される。ブライン（水）を、２次媒体と呼ぶ。
【００１７】
図１、２では、室外機１５と温水ユニット１６とが一体に組合されたものを示したが、図３に示すように、室外機１５と温水ユニット１６は別体でもよい。
【００１８】
図４により、ブライン配管（戻り）７３、ブライン配管（往き）７４を介して温水ユニット１６に接続される融雪パイプ７ａの住宅１００（一戸建て住宅）の玄関前への敷設例を説明する。
【００１９】
玄関前部分を所定深さ（例えば、４００ｍｍ）掘削し、その後に先ず砕石砂利を埋め戻す（例えば、３００ｍｍ）。その上に、コンクリートを例えば３０ｍｍ程度の厚さに敷き、ヒートポンプ式融雪空調装置２０の融雪パイプ７ａを載せてさらにコンクリートで固める（例えば、４０ｍｍ）。最後に、アスファルト仕上げをして完了する（例えば、３０ｍｍ）。
【００２０】
また、図４に示すように、融雪パイプ７ａが敷設された路面には路面温度センサ１７が設けられている。路面温度センサ１７を用いることにより、ブライン（水）の凍結保護を行うことができる。但し、路面温度センサ１７は必須ではない。
【００２１】
次に、図５により、公知の降雪センサ１４の一例について簡単に説明する。降雪センサ１４は、水分電極１４ａと、雪温センサ１４ｂとを有する。水分電極１４ａは、耐蝕・耐候性に優れたカーボン製樹脂であり、雪の水分を検知する。電極面の裏側に面ヒータがあり雪をすばやく融解する。雪温センサ１４ｂは、上向きに露出しており、降雪中は雪の温度を測定する。そのため降雪中は常に０℃以下の状態を保持する。降雪センサ１４は、水分電極１４ａにより水分、雪温センサ１４ｂにより雪温を検知し、水分と雪温（０℃以下）を検知した場合に降雪状態とみなし降雪信号を出力する。
【００２２】
図６により、ヒートポンプ式融雪空調装置２０の冷媒回路と、融雪用の２次側熱媒体回路の構成を説明する。ヒートポンプ式融雪空調装置の冷媒回路は、低温低圧のガス冷媒を吸入して圧縮し高温高圧のガス冷媒を吐出する圧縮機１と、冷媒の流れる方向を切り替える四方弁２と、融雪用の２次側熱媒体（ブラインと呼ぶ、具体的には、例えばプロピレングリコール３０％水溶液）と冷媒とが熱交換を行う融雪用熱交換器４（融雪負荷側熱交換器、温水ユニット１６に収納される）と、副絞り装置１８と、室内熱交換器３（空調負荷側熱交換器）と、絞り装置５と、室外熱交換器６（熱源側熱交換器）とを順次接続して構成されている。圧縮機１、四方弁２、室外熱交換器６、絞り装置５は室外機１５に設置され、室内熱交換器３は室内機１１に設置され、融雪用熱交換器４、副絞り装置１８は温水ユニット１６に設置される。
【００２３】
また、融雪用の２次側熱媒体回路は、融雪用の２次側熱媒体と冷媒とが熱交換を行う融雪用熱交換器４と、融雪部７の融雪パイプ７ａと、２次側熱媒体を循環させるポンプ８とを備える。
【００２４】
即ち、図６に示すように、圧縮機１の吐出側に一端が接続された四方弁２を介して室外熱交換器６が接続される。この室外熱交換器６に絞り装置５を介して室内熱交換器３が接続される。さらに、副絞り装置１８を介して融雪用熱交換器４が接続され、この融雪用熱交換器４の他端は四方弁２に接続されて冷媒回路が構成される。
【００２５】
一方、融雪部７の融雪パイプ７ａの一端は、融雪用熱交換器４に接続され、他端はポンプ８を介して融雪用熱交換器４に接続され２次側熱媒体である温水を循環する構成である。
【００２６】
融雪用熱交換器４は、例えば、図７に示すような二重管式のものを用いる。図７（ａ）に示すように、融雪用熱交換器４は、外側配管４ａと、内側配管４ｂとを有し、融雪運転時は、外側配管４ａの両端部が、ブライン入口管４３、ブライン出口管４４となり、内側配管４ｂの両端部が、冷媒入口管４１、冷媒出口管４２となる。冷媒入口管４１とブライン出口管４４とが二重管の一側端部に位置し、冷媒出口管４２とブライン入口管４３とが他側端部に位置する。
【００２７】
図７（ｂ）に示すように、融雪用熱交換器４は、大小の円管が互いに接しないように二重に配置され、内側の径の小さい内側配管４ｂの内部を冷媒が流通し、その外側の内側配管４ｂより径の大きい外側配管４ａとで挟まれた流路を融雪部７の融雪パイプ７ａに循環するブラインが流通する。
【００２８】
融雪運転時の融雪用熱交換器４内の冷媒及びブラインの流れについて説明する。
圧縮機１を吐出した高温高圧のガス冷媒は冷媒入口管４１より流入する（図７（ａ）の実線矢印）。一方、２次側熱媒体であるブラインはブライン入口管４３より流入する（図７（ａ）の二重線矢印）。ガス冷媒は融雪用熱交換器４内を流れながら、ブラインと熱交換し、冷媒出口管４２では凝縮液化して下流側の副絞り装置１８へ流れる。ブラインは融雪用熱交換器４内を流れながら、冷媒と熱交換し、ブライン出口管４４では高温のブラインとなって流出する。
【００２９】
図８により、融雪用熱交換器４内における冷媒とブラインの熱交換による冷媒とブラインの温度変化を説明する。融雪用熱交換器４は、冷媒とブラインを互いに逆方向に流す所謂対向流で流す構成としているため、冷媒とブラインとの平均温度差を小さくでき熱交換効率が向上する。図６の例では、融雪後のブライン温度は低いが（例えば、１０℃）、融雪用熱交換器４を通過した後は、４０℃程度まで上昇し、融雪に必要な十分な熱量を得ることができる。
【００３０】
冷媒とブラインの流路は、図７（ｂ）とは逆に、内側配管４ｂ内部をブライン、内側配管４ｂと外側配管４ａとで挟まれた流路を冷媒が流れるように構成してもよい。
【００３１】
図７では、融雪用熱交換器４に二重管式熱交換器を使用したが、図９に示すプレート熱交換器を用いてもよい。二重管式熱交換器と同様の効果を奏する。
【００３２】
融雪運転時には、圧縮機１から出た高温高圧の冷媒は、融雪用熱交換器４で放熱して凝縮液化する。その後、副絞り装置１８で中温中圧に絞られて室内機１１へ流入する。室内機１１では、送風機（図示せず）が停止している上に、冷媒と室温の温度差がほとんどないため、冷媒は凝縮または蒸発することなく、室内熱交換器３を通過する。この冷媒は、絞り装置５で低圧低温の二相冷媒となり、室外熱交換器６へ流入し、ここで、外気から吸熱して自らは蒸発ガス化して再び圧縮機１に戻る。副絞り装置１８は、室内熱交換器３の配管温度が室内温度と同等となるように開度をフィードバック制御する。
【００３３】
これを、モリエル線図で表すと図１０のようになる。圧縮機１より高温高圧のガス冷媒が吐出し、四方弁２を通った後融雪用熱交換器４に流入する（図１０のイ）。融雪用熱交換器４に流入したガス冷媒はポンプ８により循環しているブラインと熱交換することにより凝縮液化する（図１０のロ）。融雪用熱交換器４を流出した液冷媒は、副絞り装置１８で中温中圧に絞られて室内熱交換器３へ流入する（図１０のハ）。室内機１１では、送風機（図示せず）が停止している上に、冷媒と室温の温度差がほとんどないため、冷媒は凝縮または蒸発することなく、室内熱交換器３を流出する（図１０のニ）。室内熱交換器３では、冷媒の状態変化がないので、図１０のハとニの位置は、ほとんど同じである。
【００３４】
融雪用熱交換器４で２０〜４０℃に加熱されたブライン（温水）は、ポンプ８によって温水ユニット１６から融雪部７に敷設された融雪パイプ７ａに流入する。既に、図４に示したように、融雪パイプ７ａは、住宅１００の玄関前や駐車スペース及びこれらと道路との間のアプローチ部分などに設置されており、融雪パイプ７ａ内を循環するブライン（温水）からの放熱によって、雪が積もらないようアスファルト表面が０℃より高い温度に維持される。
【００３５】
図１１はヒートポンプ式融雪空調装置２０の制御系の接続関係を示す図である。融雪用熱交換器４での熱交換運転は、降雪センサ１４によって降雪を検出した場合か、ヒートポンプ式融雪空調装置２０の使用者が、融雪用リモコン１３で融雪運転を指令した場合に実施される。降雪センサ１４と室外機１５内の室外機制御部１５ａの運転指令入力用端子台１５ｂとの間は、融雪用リモコン１３を介して有線で接続されている。
【００３６】
降雪センサ１４からの降雪検知信号は、室外機制御部１５ａに取り込まれ、四方弁２を切り替え暖房回路として冷媒が循環することによって、融雪用熱交換器４での冷媒とブラインとの熱交換運転が開始される。このとき、居住空間１０内の融雪用リモコン１３には、融雪運転中である旨表示され、使用者に融雪運転中であることを知らせる。
【００３７】
融雪用熱交換器４での熱交換運転中、使用者が空調用リモコン１２を操作して、室内機１１に暖房等を指令した場合、融雪用熱交換器４での熱交換運転が優先される。室内機制御部１１ｂを経由して伝送された室内機運転指令は、室外機制御部１５ａでマイクロコンピュータ（図示せず）によって融雪用熱交換器４での熱交換運転を優先する判断がなされ、室内機１１を待機状態とする信号を室内機制御部１１ｂに伝送する。室内機１１は、意匠面に設置されているＬＥＤ（発光ダイオード）等で待機状態を示すか、空調用リモコン１２を操作した際に“ピッピッピッ”というような音で待機状態であることを使用者に知らせると同時に、室内送風機（図示せず）、ベーン（風向偏向装置、図示せず）も停止状態とする。
【００３８】
以上のように、この実施の形態によれば、通常の空調装置の他に、住宅１００の玄関前や駐車スペース及びこれらと道路との間のアプローチ部分などに設置される、冷凍サイクルを用いたヒートポンプによる融雪装置を兼ね備えたヒートポンプ式融雪空調装置が得られる。
【００３９】
また、融雪運転中に室内機１１から暖房等の指令が来ても、融雪運転を優先させ、確実に雪を融かすことができる。
【００４０】
実施の形態２．
図１２は実施の形態２を示す図で、ヒートポンプ式融雪空調装置２０の冷媒回路及び２次側熱媒体回路のブロック図である。
図１２では、室内熱交換器３と絞り装置５ａとの回路に、融雪用熱交換器４と絞り装置５ｂとの回路が並列に接続されている。絞り装置５ａ、絞り装置５ｂを制御して、融雪運転優先、融雪運転と暖房運転を同時に行う等、実施の形態１と同様の運転が可能である。
【００４１】
融雪運転優先の場合、絞り装置５ａは基本的には全閉であるが、室内熱交換器３へ冷媒が溜まり循環冷媒量が減少することを抑制するために、常時若干開けるか、定期的に開いて室内熱交換器３に溜まった冷媒を放出する必要がある。
【００４２】
図１２に示す冷媒回路は、室外機（圧縮機１、四方弁２、絞り装置５ａ、絞り装置５ｂ、室外熱交換器６）部分が、多室形空調機の室外機と同じという利点がある。
【００４３】
実施の形態３．
図１３、図１４は実施の形態３を示す図で、図１３はヒートポンプ式融雪空調装置２０の構成図、図１４はヒートポンプ式融雪空調装置２０の制御系の接続関係を示す図である。
【００４４】
ヒートポンプは、低温になるほど能力が低下する傾向がある。そこで、本実施の形態では、低外気温での融雪を可能とするために、温水ユニット１６から融雪部７に向かう２次熱媒体配管であるブライン配管（往き）７４の途中に２次熱媒体であるブライン（水）を加熱する補助ヒーター８０を追加した。
【００４５】
図１３に示すように、補助ヒーター８０は、温水ユニット１６の２次熱媒体流出口であるブライン流出口５４と融雪部７の２次熱媒体流入口であるブライン流入口７１との間に接続される２次熱媒体配管であるブライン配管（往き）７４の途中に設けられる。
【００４６】
補助ヒーター８０は、電源８１に接続され、スイッチ８２でオン／オフされる。
【００４７】
図１４に示すように、補助ヒーター８０は、室外機制御部１５ａで制御され、温水ユニット１６のオン／オフに連動して、スイッチ８２により補助ヒーター８０も同時にオン／オフする。
【００４８】
また、図１３に示すように、温水ユニット１６は、融雪部７の２次熱媒体流出口であるブライン流出口７２から出る２次熱媒体配管であるブライン配管（戻り）７３に接続するポンプ８と融雪用熱交換器４との間に、戻りブラインの温度を検出する温度センサー８３（２次媒体温度検出手段の一例）を備える。
【００４９】
図１４に示すように、室外機制御部１５ａは、温度センサー８３からのデータを取り込む。室外機制御部１５ａは、戻りブラインの温度を検出する温度センサー８３の検出する温度が所定値Ｔａより低い場合は、補助ヒーター８０をオンし、温度センサー８３の検出する温度が所定値Ｔｂより高い場合は、補助ヒーター８０をオフする。Ｔｂは、Ｔａより、例えば、１０ｄｅｇ高くする。
【００５０】
室外機制御部１５ａは、ヒートポンプ式融雪空調装置２０の運転開始時は、温度センサー８３の検出する温度にかかわらず、所定時間必ず補助ヒーター８０をオンし、所定時間経過後、温度センサー８３の検出する温度が所定値Ｔａより低い場合は、補助ヒーター８０をオンし、温度センサー８３の検出する温度が所定値Ｔｂより高い場合は、補助ヒーター８０をオフする制御に移行する。
【００５１】
温度センサー８３は、融雪用熱交換器４の出口に設けてもよい。
【００５２】
本実施の形態によれば、補助ヒーター８０をブライン配管（往き）７４の途中に設けたことにより、融雪能力が向上し、低外気温での融雪が可能となる。
【００５３】
また、戻りブラインの温度を検出する温度センサー８３を備えることにより、効率よく補助ヒーター８０をオン／オフするので、省エネになる。
【００５４】
また、ヒートポンプ式融雪空調装置２０の運転開始時は、補助ヒーター８０を強制的にオンするので、ブラインの温度をすばやく上昇させ、ヒートポンプの弱点である立上りの悪さを補う。
【００５５】
実施の形態４．
以上の実施の形態では、ヒートポンプ式融雪空調装置２０について説明したが、空調を除いたヒートポンプ式融雪装置９０の形態でもよい。図１５はヒートポンプ式融雪装置９０の全体構成図である。
【００５６】
図１５において、ヒートポンプ式融雪装置９０は、熱源機である室外機１５（室外ユニット）と、この室外機１５に一体に組合される温水ユニット１６（融雪用熱交換ユニット）と、この温水ユニット１６に収納される融雪用熱交換器（図示せず）に配管で接続される融雪パイプ７ａを有する融雪部７と、降雪センサ１４とを有し、これらの、室外機１５と、温水ユニット１６と、融雪部７と、降雪センサ１４とが室外に設置される。
【００５７】
一方、居住空間１０には、室外の降雪センサ１４及び温水ユニット１６と信号線で接続された融雪用リモコン１３とを備える。
【００５８】
ヒートポンプ式融雪装置９０は、融雪専用であるから、室外機１５の能力の全部を融雪に使用することができる。
【００５９】
本実施の形態のヒートポンプ式融雪装置９０にも、実施の形態３の補助ヒーター８０による融雪能力の改善、及び温度センサー８３による制御を適用することができる。
【図面の簡単な説明】
【００６０】
【図１】実施の形態１を示す図で、ヒートポンプ式融雪空調装置２０の全体構成図である。
【図２】実施の形態１を示す図で、ヒートポンプ式融雪空調装置２０の詳細な構成図である。
【図３】実施の形態１を示す図で、ヒートポンプ式融雪空調装置２０の変形例を示す部分構成図である。
【図４】実施の形態１を示す図で、玄関前への融雪パイプの敷設例を示す図である。
【図５】実施の形態１を示す図で、降雪センサ１４を示す図である。
【図６】実施の形態１を示す図で、ヒートポンプ式融雪空調装置２０の冷媒回路及び２次側熱媒体回路のブロック図である。
【図７】実施の形態１を示す図で、ヒートポンプ式融雪空調装置２０に用いる二重管式の融雪用熱交換器４の構成を示す図である。
【図８】実施の形態１を示す図で、融雪用熱交換器４における冷媒とブラインの熱交換による冷媒とブラインの温度変化を示す図である。
【図９】実施の形態１を示す図で、融雪用熱交換器４の変形例を示す図である。
【図１０】実施の形態１を示す図で、融雪運転時のモリエル線図である。
【図１１】実施の形態１を示す図で、ヒートポンプ式融雪空調装置２０の制御系の接続関係を示す図である。
【図１２】実施の形態２を示す図で、ヒートポンプ式融雪空調装置２０の冷媒回路及び２次側熱媒体回路のブロック図である。
【図１３】実施の形態３を示す図で、ヒートポンプ式融雪空調装置２０の構成図である。
【図１４】実施の形態３を示す図で、ヒートポンプ式融雪空調装置２０の制御系の接続関係を示す図である。
【図１５】実施の形態４示す図で、ヒートポンプ式融雪装置９０の全体構成図である。
【符号の説明】
【００６１】
１  圧縮機、２  四方弁、３  室内熱交換器、４  融雪用熱交換器、４ａ  外側配管、４ｂ  内側配管、５  絞り装置、５ａ  絞り装置、５ｂ  絞り装置、６  室外熱交換器、７  融雪部、７ａ  融雪パイプ、８  ポンプ、１０  居住空間、１１  室内機、１１ａ  赤外線受光部、１１ｂ  室内機制御部、１２  空調用リモコン、１３  融雪用リモコン、１４  降雪センサ、１４ａ  水分電極、１４ｂ  雪温センサ、１５  室外機、１５ａ  室外機制御部、１５ｂ  運転指令入力用端子台、１６  温水ユニット、１７  路面温度センサ、１８  副絞り装置、２０  ヒートポンプ式融雪空調装置、３１  冷媒流入口、３２  冷媒流出口、３３  冷媒配管、３４  冷媒配管、３５  冷媒配管、４１  冷媒入口管、４２  冷媒出口管、４３  ブライン入口管、４４  ブライン出口管、５１  冷媒流入口、５２  冷媒流出口、５３  ブライン流入口、５４  ブライン流出口、７１  ブライン流入口、７２  ブライン流出口、７３  ブライン配管（戻り）、７４  ブライン配管（往き）、８０  補助ヒーター、８１  電源、８２  スイッチ、８３  温度センサー、９０  ヒートポンプ式融雪装置、１００  住宅。
【図１】
0004634337.tif 000002
【図２】
0004634337.tif 000003
【図３】
0004634337.tif 000004
【図４】
0004634337.tif 000005
【図５】
0004634337.tif 000006
【図６】
0004634337.tif 000007
【図７】
0004634337.tif 000008
【図８】
0004634337.tif 000009
【図９】
0004634337.tif 000010
【図１０】
0004634337.tif 000011
【図１１】
0004634337.tif 000012
【図１２】
0004634337.tif 000013
【図１３】
0004634337.tif 000014
【図１４】
0004634337.tif 000015
【図１５】
0004634337.tif 000016